【事件の表示】
　平成　９年特許願第　７４１２９号「警報表示灯付きドアホン子器」拒絶査定不服審判事件〔平成１０年１０月　９日出願公開、特開平１０−２６９４８３〕について、次のとおり審決する。
【結　論】
　本件審判の請求は、成り立たない。
【理　由】
１．手続きの経緯・本願発明
　本願は、平成９年３月２６日の出願であって、その請求項１〜７に係る発明は、平成１４年１１月１８日付けの手続補正書及び出願当初の図面の記載からみて、特許請求の範囲の請求項１乃至７に記載されたとおりのものと認められるところ、その請求項１に記載された発明（以下「本願発明」という。）は次のとおりである。
　「呼出釦の上部に細い横長透光窓を設け、この横長透光窓を警報表示灯として発光させる警報表示灯付きドアホン子器であって、
　上記横長透光窓は、その表面に、断面Ｕ字形状をなし、凸レンズとしての集光作用を有する凸部を形成した透光部材で構成されている警報表示灯付きドアホン子器。」
　
２．引用刊行物
　これに対して、原査定の拒絶の理由に引用された特開平８−２４９５６７号公報（以下「引用刊行物１」という。）には、次の事項が記載されている。
（１−１）「本発明は上記事情に鑑みて提案されたものであり、暗い場所でも押ボタンの位置が分かり、押ボタンを押圧したことが確認できる非常押ボタンスイッチ、暗い場所でも呼出ボタンの位置が正確に分かるドアホン子器、及び住宅情報盤とドアホン子器とを２線式信号線で接続して警報機能を備えることができるインターホンシステムを提供することを、その目的としている。」（段落０００７）
（１−２）「図２に示すインターホンシステムは、室内に住宅情報盤Ｊ及びアラームユニットＡを設置し、玄関先等に設置したドアホン子器Ｄとのインターホン通話を可能にするとともに、室内に発生する火災等の異常を火災センサＳなどの各種センサで検知している。また、在室中に急病等が発生した場合には、住宅情報盤Ｊに接続され、室内の壁などに設けられた非常押ボタンスイッチＳＷを操作することで、アラームユニットＡ及びドアホン子器Ｄによって警報を出力できるようになっている。」（段落００１９）
（１−３）「次に、本発明に係るドアホン子器Ｄについて説明する（請求項３〜５）。
　図５がその外観図を示したものであり、呼出ボタンＢ２の輪郭には、枠状の位置確認点灯部１を形成している。このドアホン子器Ｄは、住宅情報盤Ｊなどの室内に設置されたインターホン親機から電源供給を受けて作動可能状態にあるときには、位置確認点灯部１が常時点灯しており、位置確認点灯部１の内側にある呼出ボタンＢ２を押せば、このようなインターホン親機の呼出チャイムを鳴動させることができる。ドアホン子器Ｄでは、玄関先等が暗いときでも、すぐに発見して押圧できる。このような、ドアホン子器Ｄは、呼出ボタンＢ２を図６（ａ），（ｂ）に示すような構成にすることもできる。
【００２５】
　図６（ａ）は呼出ボタンＢ２の正面図であり、（ｂ）は呼出ボタンＢ２の断面図である。呼出ボタンＢ２の中心部には非透光部２を、その外周囲には枠状透光部３を形成しており、この呼出ボタンＢ２は、内部に設けた発光源４によって照らされる。
　このような構成によれば、呼出ボタンＢ２が作動可能状態にあるときには、内部に設けた発光源４によって常時点灯しているが、中心部の非透光部２は光を透さず、外周囲の枠状透光部３のみが光を透すので、呼出ボタンＢ２全体が明るすぎることなく輪郭のみが浮き出たようになって、呼出ボタンＢ２の位置が明確になる。ここに内部に設けた発光源４は、ＬＥＤチップやＬＥＤランプなどを適宜間隔に分散配設して構成され、図に示した構成に限定されず、この発光源４を中心部に設けてもよく、非透光部２のデザインも自由に変更してもよい。
【００２６】
　このようなドアホン子器Ｄの動作について説明すると、呼出ボタンＢ２の枠状透光部３は、インターホン親機となる住宅情報盤Ｊより電源が供給されているときには常時点灯しており、住宅情報盤Ｊから警報信号を受けたときには、警報表示灯として点滅する。このとき、警報表示灯として色を変化させてもよく、同時にドアホン子器Ｄのスピーカから警報音も出力されるので、外部の人に異常が発生したことを確実に通知することができる。」（段落００２４〜００２６）
（１−４）「住宅情報盤Ｊに接続したセンサＳが発報（警報信号を受信）すると、制御リレーＲｙにより制御接点ｒｙは警報モード（ａ側閉じ）側に切換えられる。すると、ドアホン子器Ｄには、警報制御部２０から２線式信号線Ｌａ，Ｌｂを介して駆動電源Ｖ２が供給され、ドアホン子器Ｄの警報灯Ｌ４が点灯する。」（段落００２９）
（１−５）「住宅情報盤Ｊが通話モードにあるときには、電圧判別回路４０には通話モード時の駆動電源Ｖ１が供給されることによって、フリッカ制御回路４１を点灯モードに設定するので警報灯Ｌ４を点灯させて通電灯として機能させることができ、住宅情報盤Ｊが警報モードにあるときには、電圧判別回路４０は警報モード時の駆動電源Ｖ２が供給され、フリッカ制御回路４１を点滅モードに設定するので警報灯Ｌ４を点滅させることができる。」（段落００３８）
　
　この記載事項によると引用刊行物１には、次の事項からなる発明（以下「引用発明」という。）が記載されている。
「暗い場所でも呼出ボタンの位置が正確に分かるドアホン子器によって警報を出力できるようになっており、呼出ボタンＢ２の輪郭には、枠状の位置確認点灯部１を形成し、呼出ボタンＢ２の中心部には非透光部２を、その外周囲には枠状透光部３を形成しており、この呼出ボタンＢ２は、内部に設けた発光源４によって照らされて住宅情報盤Ｊから警報信号を受けたときには、警報表示灯として点滅するドアホン子器」
　
　同じく原査定の拒絶の理由に引用された実願昭６３−９５６３８号（実開平２−１８２１９号）のマイクロフィルム（以下「引用刊行物２」という。）には、次の事項が記載されている。
（２−１）「第１図は本考案の一実施例に係る照光式スイッチ装置の縦断面図、第２図はそのスイッチ装置に備えられるキートップの平面図である。これらの図において、１はキートップを総括的に示し、該キートップ１には機能表示用の第１の表示部２と動作表示用の第２の表示部３が形成されている。前記キートップ１は、アクリル樹脂等の透明な合成樹脂からなる母材４と、該母材４の表面に塗布された有色の光透過性塗料５と、該光透過性塗料５の表面に蒸着やスパッタリング等の手法で成膜された遮光性の外形層６とからなり、前記第１の表示部２は外形層６の一部をレーザビームで除去して光透過性塗料５を露出させたものであり、」（第５ページ第１５行目〜第６ページ第７行目）
（２−２）「前記第２のランプ１４は前記プッシュスイッチ１２のオン動作に連動して点燈されるようになっており、前記第２の表示部３の下方に配置されている。」（第７ページ第１４〜１７行目）
（２−３）「従って、オペレータは暗所内で照光される第１の表示部２を目視することにより、そのキートップの機能を容易に確認できる。」（第１０ページ第１〜３行目）
　
　この記載事項及び図面１，２の記載によれば引用刊行物２には「押しボタン配置や状態を容易に認識できるように、その上部に細い横長の形状で表示灯用の透光窓を設けた押しボタンスイッチ」の発明が記載されていると認められる。
　
３．対比
　本願発明と引用発明とを対比すると、後者の「呼出ボタン」，「枠状透光部」はそれぞれ前者の「呼出釦」，「透光窓」に相当するので、両者は、
「一致点」
　「呼出釦に透光窓を設け、この透光窓を警報表示灯として発光させる警報表示灯付きドアホン子器であって、
　上記透光窓は、透光部材で構成されている警報表示灯付きドアホン子器。」である点で一致し、次の点で相違している。
「相違点」
　前者の透光窓が呼出釦の上部に細い横長の形状に設けられ、その表面に、断面Ｕ字形状をなし、凸レンズとしての集光作用を有する凸部を形成したものであるのに対し、後者では、外周囲に枠状に形成され、その断面形状は特定されていない点。
　
４．相違点に対する判断
　押しボタン配置や状態を容易に認識できるように、その上部に細い横長の形状で表示灯用の透光窓を設けることは、引用刊行物２に記載されている。
　この引用刊行物１，２に記載された発明は、透光窓による表示部を有する押しボタンである点で共通するものであり、引用発明においても透光窓の形状を引用刊行物２に記載された構成とすることに何らの困難性も認められない。
　また、横長透光窓の断面をＵ字状とし凸レンズとしての集光作用を有する凸部を形成した構成は周知（例．特開平７−１４４１４号公報等参照）である。
　したがって、引用発明において、透光窓を引用刊行物２に記載のような、釦の上部に細い横長の形状とし、周知の凸レンズ構成を用いることで、相違点に係る本願発明の構成とすることは当業者が容易になし得たことと認められる。
　また、本願発明の奏する効果も各引用刊行物及び周知例記載の発明から予測し得る事項と認められる。
　
５．したがって、本願発明は、引用刊行物１，２に記載された発明及び上記周知の事項に基づいて当業者が容易に発明をすることができたものであるので、特許法第２９条第２項の規定により特許を受けることができない。